(57)【特許請求の範囲】
【請求項１】
外側レール及び該外側レールの内側に位置する内側レールが互いに所定の間隔を保って遊技盤に取り付られ、前記遊技盤の右下から発射される遊技球が、前記外側レールと前記内側レールとの間に形成される遊技球発射通路を経て遊技領域に誘導される弾球遊技機において、
前記外側レールの下端から前記遊技盤の左側に向かって固定強化部が延設され、
前記固定強化部の上方であって前記固定強化部と前記外側レールの下部外側面との間には、前記外側レールの下部及び前記固定強化部を支持することで前記外側レールの形状を維持するレール支持部材が整合固着されることを特徴とする弾球遊技機。
【請求項２】
前記レール支持部材には、前記遊技盤に形成された位置決め穴に挿入する位置決め凸部が設けられていることを特徴とする請求項１に記載の弾球遊技機。
【発明の詳細な説明】
【０００１】
【発明の属する技術分野】
本発明は、パチンコ機等、遊技球の入賞に応じて賞球を払い出す弾球遊技機に関するものである。
【０００２】
【従来の技術】
図６に示すように、従来の弾球遊技機の遊技盤５０には、外側レール５１と内側レール５２との２本の帯状の金属板が円弧状に取り付けられており、外側レール５１と内側レール５２との間には遊技球発射通路５３が形成されている。これにより発射された遊技球は遊技球発射通路５３を経て遊技盤５０上の遊技領域５４に誘導されるものであった。
上述した外側レール５１及び内側レール５２の各々には複数の取付釘（図示略）が備えられており、外側レール５１及び内側レール５２は前記取付釘の各々を遊技盤５０に設けられている取付穴（図示略）の各々に挿入することで強制的に円弧状になるように固定されていた。
また、外側レール５１の下端部は遊技盤５０の下端部に近く、外力によって変形しやすい為、外側レール５１の先端に釘挿入穴５１ａを有する固定強化部５１ｂが左方向に向かって延設されており、釘挿入穴５１ａに釘を挿入し釘の先端を遊技盤５０に打ち込むことによって外側レール５１の下端部の固定が強化されていた。
【０００３】
【発明が解決しようとする課題】
しかしながら、このような弾球遊技機では、外側レールの下方の固定強度が未だ十分でなく、外力により変形する等して遊技球の発射に支障を与える虞が考えられた。
また、生産工程等において外側レールが前述したように変形する等した場合には、修正しなければならず生産工程が複雑化されるという課題も考えられた。
【０００４】
【課題を解決するための手段】
上記課題を解決するために本発明の弾球遊技機は、外側レール及び該外側レールの内側に位置する内側レールが互いに所定の間隔を保って遊技盤に取り付られ、前記遊技盤の右下方から発射される遊技球が、前記外側レールと前記内側レールとの間に形成される遊技球発射通路を経て遊技領域に誘導される弾球遊技機において、前記外側レールの下端から前記遊技盤の左側に向かって固定強化部が延設され、前記固定強化部の上方であって前記固定強化部と前記外側レールの下部外側面との間には、前記外側レールの下部及び前記固定強化部を支持することで前記外側レールの形状を維持するレール支持部材が整合固着される。
【０００５】
【発明の実施の形態】
上記構成の弾球遊技機においては、外側レールの下端部及び固定強化部の形状がレール支持部材によって維持されているので、外力による変形等を防ぐよう作用する。
【０００６】
【具体例】
本具体例について図１〜図５を参照して説明すると、図１に示す弾球遊技機１には遊技盤２が備えられると共に、遊技盤２の前面は、ガラス溝３を介してガラス枠４に装着された二重のガラス５ａ，５ｂで覆われている。これにより、遊技盤２と内側のガラス５ａとの間には遊技領域６が形成される。
【０００７】
ガラス枠４の上部にはいわゆる大当りが発生した時に点灯する大当りランプ７が組み付けられている。また、ガラス枠４は、右側部に設けられた鍵８を操作することにより、左側部の裏面側に装着されているヒンジ（図示略）を軸として開閉可能である。ガラス枠４の下方には、上受皿１０が設けられた上皿部材１１が配されており、更に上皿部材１１の下方には下受皿１２が設けられた下皿部材１３が配されている。
上受皿１０及び下受皿１２には、それぞれに遊技機１からの遊技球を排出するための上皿排出口１４及び下皿排出口１５が開口している。また、上皿部材１１には複数の小長孔からなるスピーカー面１６が設けられており、スピーカー面１６の裏面には遊技状態に応じて音声を発生するスピーカー（図示略）が装着されている。
尚、遊技球は下皿部材１３に設けられた操作ハンドル１７を操作することにより遊技盤２上に発射される。
【０００８】
上皿部材１１は左側部の裏面側に装着されているヒンジ（図示略）を軸として開閉可能であるが、通常の使用時には、上皿部材１１はガラス枠４によって上辺部分を押えられ開放を防止されている。従って、上皿部材１１を開くには、ガラス枠４を開放し右裏側のロック（図示略）を解除する必要がある。
ガラス枠４及び上皿部材１１は、前述した各々のヒンジを介して後述する前面枠２０の正面に配置され、遊技盤２は前面枠２０の裏面側に固定されている。また、下皿部材１３は前面枠２０の正面に固定されている。
【０００９】
次に、前述した前面枠２０及び遊技盤２について図２〜図３を参照して詳しく説明する。
図２に示すように、前面枠２０の上方には略長方形状の貫通穴２１が設けられており、この貫通穴２１は遊技盤２を１０ｍｍ程度縮小した形状に形成されており、遊技盤２を前面枠２０裏面に取り付けた際、遊技盤２の前面が前面枠２０正面に露出される。また、前面枠２０の下方には取付面２２が形成されており、取付面２２の右方には発射レール２３が取り付けられている。この発射レール２３の後端には上皿部材１１の上受皿１０から遊技球供給装置（図示略）を経て供給されてきた遊技球が保留される。また、発射レール２３の下方には槌２４を回動自由に備えたロータリーソレノイド（図示略）が配設されており、このロータリーソレノイドは操作ハンドル１７を操作することにより槌２４を回動させ、槌２４の先端で発射レール２３上の遊技球を発射可能に構成されている。
【００１０】
更に前面枠２０には、前述した上皿部材１１及び下皿部材１３の上皿排出口１４及び下皿排出口１５の各々に対応した位置に上皿流出口２５及び下皿流出口２６が貫設されている。上皿流出口２５は前面枠２０の裏面に備えられている遊技球流通機構（図示略）から排出されてきた遊技球を上皿排出口１４を介して上受皿１０に排出させ、下皿流出口２６は上受皿１０が遊技球で満たされている場合に、前記遊技球流通機構から排出されてきた遊技球を下皿排出口１５を介して下受皿１２に排出させるように構成されている。
尚、遊技盤２及び前面枠２０の裏面には、弾球遊技機１を制御する電子制御装置やその他機構等が備えられているが、これらは周知の技術であり図示及び説明は省略する。
【００１１】
図３に示すように遊技盤２には外側レール３０が略Ｃの字状に取り付けられており、外側レール３０の内側には内側レール３１が外側レール３０と所定の間隔を保ってＵの字状に取り付けられている。これら外側レール３０及び内側レール３１は、各々に備えられた複数の取付釘（図示略）を遊技盤２に打ち込むことにより固定されている。
外側レール３０の下端部３０ａ先端には固定強化部３０ｂが左方向に向かって延設されており、固定強化部３０ｂの先端には釘挿入穴３０ｃが形成されている。この釘挿入穴３０ｃには釘（図示略）が挿入され、前記釘の先端を遊技盤２に打ち込むことによって外側レール３０の下部近辺の固定が強化されている。
また、遊技盤２上であって固定強化部３０ｂの直上には位置決め穴２ａが刻設されており、位置決め穴２ａには後述するレール支持部材３２が取り付けられている。
尚、外側レール３０と内側レール３１との間には遊技球発射通路３３が形成されている。
【００１２】
次に、前述したレール支持部材３２について図４及び図５を参照して説明する。
図４及び図５に示すようにレール支持部材３２は略三角形状に形成されており、外側レールの下端部３０ａと固定強化部３０ｂとの間に整合可能に構成されている。また、レール支持部材３２正面の左方には釘挿入穴３２ａが貫設されており、右方の裏面側には位置決め凸部３２ｂが突設されている。尚、レール支持部材３２の奥行は外側レール３０の奥行と同等となるよう形成されている。
このレール支持部材３２は位置決め凸部３２ｂを前述した遊技盤２の位置決め穴２ａに挿入し外側レール３０の下端部３０ａと固定強化部３０ｂとの間に整合させ、レール支持部材３２の釘挿入穴３２ａに釘（図示略）を挿入して前記釘の先端を遊技盤２に打ち込むことによって固定されている。これにより、外側レール３０の下端部３０ａ近辺及び固定強化部材３０ｂはレール支持部材３２によって支持される。
尚、遊技盤２には、周知のチャッカーや役物等が備えられているが、図示及び説明は省略する。
【００１３】
上記のように構成された弾球遊技機１においては、発射レール２３から発射された遊技球は外側レール３０と内側レール３１との間に形成された遊技球発射通路３３を経て遊技盤２上の遊技領域６に向かう。
【００１４】
本具体例の弾球遊技機によると、外側レール３０の下端部３０ａ近辺及び固定強化部材３０ｂは、外側レール３０の下端部３０ａと固定強化部３０ｂとの間に整合固着されているレール支持部材３２によって支持されているので外力を加えられても変形する等の虞がなくなるという極めて優れた効果を奏する。また、これにより、遊技球の発射に支障を与える虞がなくなるという優れた効果も得られる。
更に、生産工程においても外側レール３０の変形等を修正する必要はなくなるので生産工程が複雑化される虞がなくなるという効果も有する。
【００１５】
本具体例においては、レール支持部材３２は、位置決め凸部３２ｂと遊技盤２の位置決め穴２ａによって遊技盤２へ固定する際の位置決めが容易にされているが、位置決め凸部３２ｂとそれに対応する位置決め穴２ａを複数設ければ更に外ガイドレール３０の支持を強化することができ、且つレール支持部材３２の位置決めが更に容易になる。
尚、本発明はこのような具体例に限定されるものでなく、本発明の要旨を逸脱しない範囲で様々に実施できることは言うまでもない。
【００１６】
【発明の効果】
請求項１に記載の発明の弾球遊技機によると、外側レールの下端部近辺の支持部材によって外側レールの形状が維持されているので、外側レールの下端部近辺に外力を加えられても変形する等の虞がなくなるという優れた効果を奏する。また、これにより、遊技球の発射に支障を与える与える虞がなくなるという優れた効果も得られる。
また、請求項２に記載の発明の弾球遊技機によると、請求項１に記載の発明の弾球遊技機と同様の効果を有する他、支持部材を取り付ける際、容易に位置決めができるという優れた効果も有する。
【図面の簡単な説明】
【図１】本具体例の弾球遊技機を示す正面図である。
【図２】本具体例の前面枠を示す正面図である。
【図３】本具体例の遊技盤を示す正面図である。
【図４】本具体例のレール支持部材を示す斜視図である。
【図５】本具体例の遊技盤とレール支持部材を示す分解斜視図である。
【図６】従来の弾球遊技機の遊技盤を示す斜視図である。
【符号の説明】
１，５０・・・弾球遊技機  ２・・・遊技盤    ２ａ・・・位置決め穴
３・・・ガラス溝              ４・・・ガラス枠
５ａ，５ｂ・・・ガラス        ６，５４・・・遊技領域
７・・・大当りランプ      ８・・・鍵      １０・・・上受皿
１１・・・上皿部材        １２・・・下受皿  １３・・・下皿部材
１４・・・上皿排出口          １５・・・下皿排出口
１６・・・スピーカー面        １７・・・操作ハンドル
２０・・・前面枠              ２１・・・貫通穴
２２・・・取付面              ２３・・・発射レール
２４・・・槌                  ２５・・・上皿流出口
２６・・・下皿流出口          ３０，５１・・・外側レール
３０ａ・・・下端部            ３０ｂ・・・固定強化部
３０ｃ，３２ａ・・・釘挿入穴  ３１，５２・・・内側レール
３２・・・レール支持部        ３２ｂ・・・位置決め凸部
３３，５３・・・遊技球発射通路
【図１】
0004049277.tif 000002
【図２】
0004049277.tif 000003
【図３】
0004049277.tif 000004
【図４】
0004049277.tif 000005
【図５】
0004049277.tif 000006
【図６】
0004049277.tif 000007